(57)【要約】【課題】受信状態が悪化した場合でも、操作性を低下させることなく、放送を継続して楽しむことのできる車載用放送受信装置を提供する。【解決手段】放送信号を受信する放送受信部２２を備えた車載用放送受信装置１０であって、放送受信部２２による放送信号の受信状態が悪化した場合に、自機が制御対象とする装置または回路であって、ノイズを発生するノイズ源に対する制御方法を設定するための情報を表示する表示手段（表示部３１）と、表示手段に表示された情報に基づいてノイズ源に対する制御方法をユーザに設定させる設定手段（キー３２〜３５）と、設定手段によって設定された制御方法を示す制御情報を記憶する記憶手段（マイコン部２６）と、放送受信部による放送信号の受信状態が悪化した場合には、記憶手段に記憶された制御情報に応じて、ノイズ源を制御する制御手段（マイコン部２６）とを有する。【選択図】図１
2009111514.tif 000002
【特許請求の範囲】
【請求項１】
放送信号を受信する放送受信部を備えた車載用放送受信装置であって、
前記放送受信部による放送信号の受信状態が悪化した場合に、自機が制御対象とする装置または回路であって、ノイズを発生するノイズ源に対する制御方法を設定するための情報を表示する表示手段と、
前記表示手段に表示された前記情報に基づいて前記ノイズ源に対する制御方法をユーザに設定させる設定手段と、
前記設定手段によって設定された制御方法を示す制御情報を記憶する記憶手段と、
前記放送受信部による放送信号の受信状態が悪化した場合には、前記記憶手段に記憶された前記制御情報に応じて、前記ノイズ源を制御する制御手段と、
を有することを特徴とする車載用放送受信装置。
【請求項２】
請求項１に記載の車載用放送受信装置において、
前記ノイズ源は、モータであり、前記制御手段は、前記放送信号の受信状態が悪化した場合には、前記制御情報に応じて、前記モータの駆動を停止するか、または、前記モータの駆動速度を低下させることを特徴とする車載用放送受信装置。
【請求項３】
請求項１または２に記載の車載用放送受信装置において、
前記ノイズ源は、前記表示手段または外部に接続された表示装置であり、前記制御手段は、前記放送信号の受信状態が悪化した場合には、前記制御情報に応じて、前記表示手段または前記表示装置の動作を停止することを特徴とする車載用放送受信装置。
【請求項４】
請求項２または３に記載の車載用放送受信装置において、
前記モータまたは前記表示部もしくは前記表示装置の動作が既に停止されている場合、停止されているノイズ源に関する情報を前記表示手段に表示しないか、または、停止されているノイズ源に関する制御情報の設定を禁止することを特徴とする車載用放送受信装置。
【請求項５】
請求項１乃至４のいずれか１項に記載の車載用放送受信装置において、
前記制御手段は、前記放送受信部の受信信号強度が第１閾値以下になった場合には、前記ノイズ源に対して前記記憶手段に記憶された前記制御情報に基づく制御を開始し、前記受信信号強度が前記第１閾値よりも値が大きい第２閾値以上になった場合には前記制御情報に基づく制御を停止することを特徴とする車載用放送受信装置。
【請求項６】
放送信号を受信する放送受信部を備えた車載用放送受信装置の制御方法であって、
前記放送受信部による放送信号の受信状態が悪化した場合に、自機が制御対象とする自機が制御対象とする装置または回路であって、ノイズを発生するノイズ源に対する制御方法を設定するための情報を表示し、
表示された前記情報に基づいて前記ノイズ源に対する制御方法をユーザに設定させ、
設定された制御方法を示す制御情報を記憶し、
前記放送受信部による放送信号の受信状態が悪化した場合には、記憶された前記制御情報に応じて、前記ノイズ源を制御する、
ことを特徴とする制御方法。
【請求項７】
放送信号を受信する放送受信部を備えた車載用放送受信装置の制御プログラムであって、
前記放送受信部による放送信号の受信状態が悪化した場合に、自機が制御対象とする装置または回路であって、ノイズを発生するノイズ源に対する制御方法を設定するための情報を表示する表示手段、
前記表示手段に表示された前記情報に基づいて前記ノイズ源に対する制御方法をユーザに設定させる設定手段、
前記設定手段によって設定された制御方法を示す制御情報を記憶する記憶手段、
前記放送受信部による放送信号の受信状態が悪化した場合には、前記記憶手段に記憶された前記制御情報に応じて、前記ノイズ源を制御する制御手段、
として機能させることを特徴とする制御プログラム。
【発明の詳細な説明】
【技術分野】
【０００１】
本発明は、車載用放送受信装置、制御方法および制御プログラムに関する。
【背景技術】
【０００２】
特許文献１には、車載ラジオの動作状況に応じて、ブレーキポンプの駆動モータの速度を変化させ、車載ラジオのノイズを低減する技術が開示されている。
【特許文献１】特開２００６−１９７６５７号公報
【発明の開示】
【発明が解決しようとする課題】
【０００３】
ところで、ラジオやテレビ等の放送受信装置のノイズ源としては、駆動モータ以外にも各種のノイズ源が存在する。例えば、放送受信装置が表示部を有している場合には、当該表示部がノイズ源となる。また、放送受信装置自体がモータを有している場合には、当該モータがノイズ源となる。したがって、これら各種のノイズ源に対して、放送受信装置の動作状況に応じて、ノイズを減らす制御を一律に行った場合には、操作性が低下してしまうという問題点がある。
【０００４】
本発明の課題は、受信状態が悪化した場合でも、操作性を低下させることなく、放送を継続して楽しむことのできる車載用放送受信装置、制御方法および制御プログラムを提供することにある。
【課題を解決するための手段】
【０００５】
上記課題を解決するため、本発明の車載用放送受信装置は、放送信号を受信する放送受信部を備えた車載用放送受信装置であって、前記放送受信部による放送信号の受信状態が悪化した場合に、自機が制御対象とする装置または回路であって、ノイズを発生するノイズ源に対する制御方法を設定するための情報を表示する表示手段と、前記表示手段に表示された前記情報に基づいて前記ノイズ源に対する制御方法をユーザに設定させる設定手段と、前記設定手段によって設定された制御方法を示す制御情報を記憶する記憶手段と、前記放送受信部による放送信号の受信状態が悪化した場合には、前記記憶手段に記憶された前記制御情報に応じて、前記ノイズ源を制御する制御手段と、を有することを特徴とする。
上記構成によれば、表示手段に表示された情報に基づいてノイズ源に対する制御方法を示す制御情報をユーザに設定させ、記憶手段に記憶する。そして、放送受信部の受信状態が悪化した場合には、記憶手段に記憶された制御情報に基づいた方法で制御手段がノイズ源を制御する。このため、ノイズ源の制御方法をユーザの嗜好に応じて設定できることから、受信状態が悪化した場合でも、操作性を低下させることなく、放送を継続して楽しむことができる。
【０００６】
また、上記構成の車載用放送受信装置において、前記ノイズ源は、モータであり、前記制御手段は、前記放送信号の受信状態が悪化した場合には、前記制御情報に応じて、前記モータの駆動を停止するか、または、前記モータの駆動速度を低下させることを特徴とする。
上記構成によれば、制御手段は、受信状態が悪化した場合には、制御情報に応じて、ノイズ源であるモータの動作を停止するか、駆動速度を低下させる。このため、モータから発生するノイズを低減することができる。また、所定のモータについては、このような制御を行わない設定を行うことにより操作性が低下することを防止できる。
【０００７】
また、上記構成の車載用放送受信装置において、前記ノイズ源は、前記表示手段または外部に接続された表示装置であり、前記制御手段は、前記放送信号の受信状態が悪化した場合には、前記制御情報に応じて、前記表示手段または前記表示装置の動作を停止することを特徴とする。
上記構成によれば、制御手段は、受信状態が悪化した場合には、制御情報に応じて、ノイズ源である表示手段または表示装置の動作を停止する。このため、表示手段または表示装置から発生するノイズを低減することができる。また、表示手段または表示装置の動作を停止しない設定をした場合には、操作性を低下することを防止できる。
【０００８】
また、上記構成の車載用放送受信装置において、前記モータまたは前記表示部もしくは前記表示装置の動作が既に停止されている場合、停止されているノイズ源に関する情報を前記表示手段に表示しないか、または、停止されているノイズ源に関する制御情報の設定を禁止することを特徴とする。
上記構成によれば、モータまたは表示手段もしくは表示装置の動作が既に停止されている場合には、表示手段には停止されているノイズ源に関する情報が表示手段に表示されないか、または、停止されているノイズ源に関する制御情報の設定が禁止される。このため、表示手段に対する表示項目を減らしたり、設定可能項目を減らしたりすることにより、ユーザが設定を容易に行うことが可能になる。
【０００９】
また、上記構成の車載用放送受信装置において、前記制御手段は、前記放送受信部の受信信号強度が第１閾値以下になった場合には、前記ノイズ源に対して前記記憶手段に記憶された前記制御情報に基づく制御を開始し、前記受信信号強度が前記第１閾値よりも値が大きい第２閾値以上になった場合には前記制御情報に基づく制御を停止することを特徴とする。
上記構成によれば、制御手段は、受信信号強度が第１閾値以下になった場合には、ノイズ源に対して制御情報に基づく制御を開始し、第２閾値以上になった場合には制御情報に基づく制御を停止する。このため、これらの第１閾値および第２閾値を調整することにより、ノイズ源に対する制御が実行される範囲を可変することができる。
【００１０】
また、本発明の制御方法は、放送信号を受信する放送受信部を備えた車載用放送受信装置の制御方法であって、前記放送受信部による放送信号の受信状態が悪化した場合に、自機が制御対象とする装置または回路であって、ノイズを発生するノイズ源に対する制御方法を設定するための情報を表示し、表示された前記情報に基づいて前記ノイズ源に対する制御方法をユーザに設定させ、設定された制御方法を示す制御情報を記憶し、前記放送受信部による放送信号の受信状態が悪化した場合には、記憶された前記制御情報に応じて、前記ノイズ源を制御することを特徴とする。
上記構成によれば、表示された情報に基づいてノイズ源に対する制御方法を示す制御情報がユーザによって設定されて記憶される。そして、放送受信部の受信状態が悪化した場合には、記憶された制御情報に基づいた方法でノイズ源を制御する。このため、ノイズ源の制御方法をユーザの嗜好に応じて設定できることから、受信状態が悪化した場合でも、操作性を低下させることなく、放送を継続して楽しむことができる。
【００１１】
また、本発明の制御プログラムは、前記放送受信部による放送信号の受信状態が悪化した場合に、自機が制御対象とする装置または回路であって、ノイズを発生するノイズ源に対する制御方法を設定するための情報を表示する表示手段、前記表示手段に表示された前記情報に基づいて前記ノイズ源に対する制御方法をユーザに設定させる設定手段、前記設定手段によって設定された制御方法を示す制御情報を記憶する記憶手段、前記放送受信部による放送信号の受信状態が悪化した場合には、前記記憶手段に記憶された前記制御情報に応じて、前記ノイズ源を制御する制御手段、として機能させることを特徴とする。
上記構成によれば、表示手段に表示された情報に基づいてノイズ源に対する制御方法を示す制御情報がユーザによって設定されて記憶手段に記憶される。そして、放送受信部の受信状態が悪化した場合には、記憶手段に記憶された制御情報に基づいた方法で制御手段がノイズ源を制御する。このため、ノイズ源の制御方法をユーザの嗜好に応じて設定できることから、受信状態が悪化した場合でも、操作性を低下させることなく、放送を継続して楽しむことができる。
【発明の効果】
【００１２】
本発明によれば、受信状態が悪化した場合でも、操作性を低下させることなく、放送を継続して楽しむことのできる。
【発明を実施するための最良の形態】
【００１３】
（Ａ）実施の形態の構成
以下、図面を参照して本発明の実施の形態を説明する。
図１は本発明の実施の形態の車載用放送受信装置１０を示す。図１に示すように、車載用放送受信装置１０は、本体ユニット２０および表示操作ユニット３０を有しており、また、表示装置４０が接続されている。本体ユニット２０は、放送受信部２２（請求項中「放送受信部」に対応）、光ディスク再生部２３、セレクタ部２４、アンプ部２５、マイコン部２６（請求項中「記憶手段」および「制御手段」に対応）、および、開閉機構用モータ２７（請求項中「モータ」に対応）を有しており、アンテナ２１によって捕捉され、放送受信部２２で再生されたラジオ放送信号もしくはテレビ放送信号（以下、これらをまとめて「放送信号」と称する）または光ディスク再生部２３によって再生された再生信号をセレクタ部２４によって選択し、アンプ部２５で増幅して図示せぬスピーカから音声として出力する。また、映像信号については、表示装置４０によって表示させる。さらに、本体ユニット２０は、マイコン部２６によって開閉機構用モータ２７を駆動することにより、表示操作ユニット３０を開閉させることができる。
【００１４】
表示操作ユニット３０は、表示部３１（請求項中「表示手段」および「表示部」に対応）およびキー３２〜３５（請求項中「設定手段」に対応）を有しており、マイコン部２６から供給された情報を表示部３１に表示するとともに、キー３２〜３５の操作に応じた情報を生成してマイコン部２６に供給する。
【００１５】
各部の詳細な構成について説明する。アンテナ２１は、図示せぬ放送局から送信された放送電波を捕捉し、放送受信部２２に供給する。放送受信部２２は、アンテナ２１から供給された放送電波に含まれている放送信号を、セレクタ部２４に対して供給する。なお、放送電波がテレビ放送である場合には、映像信号が表示装置４０に対して供給されて表示される。また、放送受信部２２は、放送信号の受信信号強度を検出し、マイコン部２６に対して通知する。
【００１６】
光ディスク再生部２３は、例えば、ＣＤ（Compact Disk）、ＤＶＤ（Digital Versatile Disk）、または、ＭＤ（Mini Disk）等の光ディスクに記録されている情報を読み出して再生する。なお、光ディスクがＤＶＤである場合には、ＤＶＤに記録されている映像が再生され、表示装置４０に表示される。
【００１７】
セレクタ部２４は、マイコン部２６の制御に応じて、放送受信部２２から出力される音声信号および光ディスク再生部２３から出力される音声信号のいずれかを選択し、アンプ部２５に供給する。また、セレクタ部２４は、放送受信部２２および光ディスク再生部２３から出力される映像信号のいずれかを選択し、表示装置４０に供給する。アンプ部２５は、セレクタ部２４から供給された音声信号を所定のゲインで増幅し、図示せぬスピーカに供給し、音声として出力させる。
【００１８】
マイコン部２６は、図示せぬＣＰＵ（Central Processing Unit）、ＲＯＭ（Read Only Memory）、ＲＡＭ（Random Access Memory）、および、各種Ｉ／Ｆ（Interface）等によって構成され、ＲＯＭに格納されているプログラムを実行することにより、各種の動作を実行する。また、マイコン部２６は、キー３２〜３５の操作に応じて、放送受信部２２、光ディスク再生部２３、セレクタ部２４、開閉機構用モータ２７、および、表示装置４０を制御するとともに、各種情報を表示部３１に表示させる。また、マイコン部２６は、放送受信部２２の受信状態が悪化した場合におけるノイズ源に対する制御方法を設定するための情報を表示部３１に表示させ、キー３２〜３５から入力された情報に対応する制御情報を生成して制御情報２６ａ（請求項中「制御情報」に対応）として内部のメモリに格納する。さらに、マイコン部２６は、放送受信部２２から供給される受信信号強度を示す情報を参照し、受信状態が悪化したと判定した場合には、制御情報２６ａに基づいてノイズ源に対する制御を行う。なお、本明細書中において、ノイズ源とは、電源線もしくはグランドを介して伝達される電圧変動または電磁輻射によって放送受信部２２に対してノイズを与える回路または装置をいう。
【００１９】
開閉機構用モータ２７は、例えば、直流モータによって構成され、マイコン部２６の制御に応じて、表示操作ユニット３０を開閉させる。表示操作ユニット３０は着脱可能とされており、開閉機構用モータ２７によって表示操作ユニット３０が開いた状態では、表示操作ユニット３０を取り外すことができる。
【００２０】
表示操作ユニット３０の表示部３１は、例えば、ＬＣＤ（Liquid Crystal Display）によって構成され、マイコン部２６から供給された情報を表示する。キー３２〜３５は、表示操作ユニット３０の表面（ユーザ側に向いた面）に設けられており、これらのキー３２〜３５を操作することにより、所定の情報を入力することができる。
【００２１】
表示装置４０は、外付けの表示装置であり、例えば、ＬＣＤ等によって構成される。表示装置４０は、セレクタ部２４から供給される映像信号を表示するとともに、マイコン部２６の制御に応じて、電源がオンまたはオフの状態となる。
【００２２】
（Ｂ）実施の形態の動作
つぎに、本発明の実施の形態の動作について説明する。以下では、まず、放送受信部２２の受信状態が悪化した場合に、ノイズ源に対する制御方法を設定する際の動作について説明し、つぎに、設定後の動作について説明する。
【００２３】
まず、放送受信部２２の受信状態が悪化した場合の制御方法を設定する際の動作について説明する。ユーザが、例えば、キー３２〜３５を操作することにより、受信状態が悪化した場合の制御内容を設定するメニュー画面を表示させる指示を行うと、マイコン部２６は、図示せぬＲＯＭに記憶されているメニュー画面を表示するための情報を読み出して描画処理を実行し、得られた画像を表示部３１に供給して表示させる。この結果、表示部３１には、図２に示すようなメニュー画面が表示される。この図２に示す例では、表示部３１内の最上部には、タイトル５０としての「放送受信状態が悪い場合の制御方法設定」が表示されている。また、その下には、表示部３１の表示を停止するかまたは動作させるかを選択させる設定項目５１が表示されている。この図の例では、「停止」が矩形によって囲まれており、放送受信部２２の受信状態が悪化した場合には表示部３１の表示を停止する制御方法が選択されている。なお、「動作」が選択された場合には、受信状態が悪化した場合でも表示部３１の表示は維持される。その下には、モータの動作を低速にするかまたは高速にするかを選択させる設定項目５２が表示されている。この図の例では、「低速」が矩形によって囲まれており、受信状態が悪化した場合にはモータが低速で駆動される制御方法が選択されている。なお、「高速」が選択された場合には、受信状態が悪化した場合でもモータは通常通り高速に駆動される。その下には、メカの動作を停止するかまたは動作させるかを選択させる設定項目５３が表示されている。この図の例では、「停止」が矩形によって囲まれており、受信状態が悪化した場合には、例えば、光ディスク再生部２３を構成するメカを停止する制御方法が選択されている。なお、「動作」が選択された場合には、受信状態が悪化した場合でもメカは動作状態を維持する。
【００２４】
ところで、低速駆動または高速駆動する対象となるモータとしては、動作速度を変化させても、目的とする機能の発揮が阻害されないモータを選択する。例えば、光ディスク再生部２３を構成するスピンドルモータは、光ディスクの読み取り位置によって定まる回転速度で回転する必要があるため、このスピンドルモータを低速駆動すると、情報を読み出すという機能の発揮が阻害されてしまう。このため、スピンドルモータについては、このような制御の対象とはしない。一方、開閉機構用モータ２７および光ディスク再生部２３のディスク搬送機構の駆動用モータについては、これらのモータの回転速度を低下させた場合、開閉機構およびディスク搬送機構の動作速度は低下するものの、開閉する機能および搬送する機能の発揮については阻害されない。したがって、これらについては低速駆動または高速駆動の制御の対象とすることができる。なお、スピンドルモータであっても、光ディスク再生部２３が倍速再生が可能な場合には、回転速度を落としても、情報を読み出す機能を維持することができるので、そのような場合には、駆動速度を低下させる対象としてもよい。
【００２５】
また、低速駆動または高速駆動の対象とならないモータのうち、放送受信部２２の動作に直接関連しないものについては、動作を停止する制御の対象とすることができる。例えば、光ディスク再生部２３のスピンドルモータについては放送受信部２２の動作には関係しないので、スピンドルモータについては動作を停止する制御の対象とすることができる。なお、光ディスク搬送機構の駆動用モータも、放送受信部２２の動作には関係しないので、これについても動作を停止する制御の対象にすることもできる。
【００２６】
図２に示すメニュー画面を参照し、ユーザがキー３２〜３５を操作して、所望の設定を行った後、設定内容を確定する操作をキー３２〜３５に対して行うと、マイコン部２６は、キー３２〜３５から入力された情報に基づいて制御情報を生成し、制御情報２６ａとして内蔵されているＲＡＭ（不図示）に格納する。図３は、図２に示すメニュー画面の設定内容に対応して生成される制御情報の一例を示している。この例では、設定項目として右側の列に示す「表示」、「モータ」、および、「メカ」が存在し、左側の列に示すようにそれぞれが「停止」、「低速」、および、「停止」に設定されている。なお、マイコン部２６に内蔵されているＲＡＭを不揮発性のメモリとすることにより、このように設定された制御情報２６ａを車載用放送受信装置１０の電源が遮断された場合であっても保持することができる。
【００２７】
つぎに、図４を参照して、以上の設定に基づく動作について説明する。図４に示す処理は、マイコン部２６の図示せぬＲＯＭに記憶されているプログラムによって実現される。なお、このようなプログラムは、車載用放送受信装置１０の製造工程においてマイコン部２６にインストールするようにしてもよいし、車載用放送受信装置１０の販売後に可搬型媒体またはネットワークから取得してマイコン部２６にユーザがインストールするようにしたりしてもよい。
【００２８】
図４に示す処理は、一定の周期毎（例えば、１秒毎）に実行される。この処理が開始されると、まず、マイコン部２６は、ステップＳ１０において、放送受信部２２において受信されている受信信号強度Ｒｓを取得する。より詳細には、マイコン部２６は、放送受信部２２において現在受信している、所定の周波数のラジオ放送またはテレビ放送の受信信号強度Ｒｓを取得する。ここで、受信信号強度とは、放送受信部２２によって受信される信号の強度（レベル）を示し、この強度が低いほど、受信状態が悪いことを示し、高いほど受信状態が良いことを示す。
【００２９】
つぎに、マイコン部２６は、ステップＳ１０において取得した受信信号強度Ｒｓが、受信状態が劣悪であるか否かを判断するための閾値Ｔｈ１（請求項中「第１閾値」に対応）以下（Ｒｓ≦Ｔｈ１）であるか否かを判定し、Ｔｈ１以下である場合（ステップＳ１１；Ｙｅｓ）にはステップＳ１２に進み、それ以外の場合（ステップＳ１１；Ｎｏ）にはステップＳ１８に進む。なお、閾値Ｔｈ１は、受信信号強度がそれ以下になった場合に、放送信号が正常に受信できなくなる強度付近に設定される。望ましくは、放送信号が正常に受信できなくなる強度よりも少し高めの強度に設定することが望ましい。これにより、受信ができなくなる前に、後述する制御によって受信状態が改善されるからである。
【００３０】
図５は、受信信号強度Ｒｓの時間的な推移の一例と、閾値Ｔｈ１および後述する閾値Ｔｈ２（請求項中「第２閾値」に対応）の関係を示す図である。この図５において実線は、受信信号強度Ｒｓの時間的な推移の一例を示している。この図の例では、受信信号強度Ｒｓは時刻Ｔ０から次第に下がり始め、時刻Ｔ２で劣悪判断値である閾値Ｔｈ１を下回っている。したがって、図５の場合では、時刻Ｔ２よりも前ではステップＳ１１においてＮｏと判定されてステップＳ１８に進み、時刻Ｔ２以降ではステップＳ１１においてＹｅｓと判定されてステップＳ１２に進む。
【００３１】
ステップＳ１１においてＹｅｓと判定された場合には、ステップＳ１２に進む。ステップＳ１２では、マイコン部２６は、図３に示す制御情報２６ａを参照し、表示の停止が選択されているか否かを判定し、停止が選択されている場合（ステップＳ１２；Ｙｅｓ）にはステップＳ１３に進み、それ以外の場合（ステップＳ１２；Ｎｏ）にはステップＳ１４に進む。図３の例では、表示の停止が設定されているので、ステップＳ１３に進む。
【００３２】
ステップＳ１３では、マイコン部２６は、表示部３１の動作を停止させる。より詳細には、マイコン部２６は、表示部３１を構成するＬＣＤのバックライトを消灯するとともに、ＬＣＤを構成する画素を駆動する駆動部の動作を停止する。さらに、マイコン部２６は、内蔵されている描画処理部（不図示）の動作を停止する。ここで、バックライトは、例えば、インバータ等によって生成される高周波信号によって点灯されることから、バックライトを消灯することにより、インバータおよびバックライトから放射される電磁輻射ノイズを停止することができるとともに、電源ラインおよびグランドを介して放送受信部２２に対して高周波信号が流入し、放送受信部２２の受信感度が低下することを防止できる。また、表示部３１の駆動部およびマイコン部２６の描画処理部を停止することにより、これらから放射される電磁輻射ノイズを停止するとともに、電源ラインおよびグランドを介して放送受信部２２に対して高周波信号が流入し、放送受信部２２の受信感度が低下することを防止できる。
【００３３】
ステップＳ１４では、マイコン部２６は、図３に示す制御情報２６ａを参照し、モータの低速駆動が選択されているか否かを判定し、低速駆動が選択されている場合（ステップＳ１４；Ｙｅｓ）にはステップＳ１５に進み、それ以外の場合（ステップＳ１４；Ｎｏ）にはステップＳ１６に進む。図３の例では、モータの低速駆動が選択されているので、ステップＳ１５に進む。
【００３４】
ステップＳ１５では、マイコン部２６は、低速制御の対象となっているモータを低速で駆動する。より詳細には、マイコン部２６は、例えば、開閉機構用モータ２７等に対して、通常よりも低い駆動電圧を印加することにより、動作速度を低下させる。これにより、モータに流れる電流を減らすことができるので、モータから放射される電磁輻射ノイズを低減し、放送受信部２２の受信感度が低下することを防止できる。
【００３５】
ステップＳ１６では、マイコン部２６は、図３に示す制御情報２６ａを参照し、メカの停止が選択されているか否かを判定し、メカの停止が選択されている場合（ステップＳ１６；Ｙｅｓ）にはステップＳ１７に進み、それ以外の場合（ステップＳ１６；Ｎｏ）には処理を終了する。図３の例では、メカの停止が選択されているので、ステップＳ１７に進む。
【００３６】
ステップＳ１７では、マイコン部２６は、停止制御の対象となっているメカの動作を停止させる。より詳細には、マイコン部２６は、例えば、光ディスク再生部２３のスピンドルモータの動作を停止させる。これにより、モータから放射される電磁輻射ノイズを遮断し、放送受信部２２の受信感度が低下することを防止できる。
【００３７】
以上のステップＳ１２〜Ｓ１７の処理により、ノイズ源からのノイズの発生が抑制されるので、放送受信部２２の受信感度が向上し、これにより受信信号強度が増加する。その結果、図５に示すように、時刻Ｔ２において、ステップＳ１２〜Ｓ１７の処理が実行されると、図５に一点鎖線で示すように、受信信号強度が増加する。ステップＳ１２〜Ｓ１７の処理が実行されない場合には、実線で示すように劣悪判断値を下回る受信信号強度となることから、時刻Ｔ２〜Ｔ３の間は放送信号を受信できなくなるが、ステップＳ１２〜Ｓ１３の処理によって、受信感度が改善され、時刻Ｔ２〜Ｔ３の間においても放送信号を受信することができる。なお、ステップＳ１２〜Ｓ１７の処理によって、受信信号強度Ｒｓが増加し一点鎖線に示すようになると、それ以降の処理ではステップＳ１１においてＮｏと判定されるが、後述するステップＳ１８においてＮｏと判定され、ステップＳ２０に進み、現状設定状態が維持される（詳細は後述する）。この結果、時刻Ｔ２〜Ｔ３の期間では、ステップＳ１２〜Ｓ１７の処理による制御の状態が維持される。
【００３８】
一方、ステップＳ１１において、Ｒｓ＞Ｔｈ１と判定された場合（ステップＳ１１；Ｎｏ）には、ステップＳ１８に進む。ステップＳ１８では、マイコン部２６は、ステップＳ１０において取得した受信信号強度Ｒｓが、受信状態が正常であるか否かを判断するための閾値Ｔｈ２以上（Ｒｓ≧Ｔｈ２）であるか否かを判定し、Ｔｈ２以上である場合（ステップＳ１８；Ｙｅｓ）にはステップＳ１９に進み、それ以外の場合（ステップＳ１８；Ｎｏ）にはステップＳ２０に進む。なお、閾値Ｔｈ２は、閾値Ｔｈ１よりも大きい値であって、かつ、ノイズ源からのノイズが存在する場合であっても、受信感度を十分に高く維持することができる受信信号強度に設定される。より詳細には、ステップＳ１８において、（Ｒｓ≧Ｔｈ２）であると判定されると、ステップＳ１９に進んでノイズ源が通常動作へ復帰されるため、ノイズが増加して受信感度が低下してしまう。しかしながら、そのような場合であっても、受信信号強度Ｒｓが閾値Ｔｈ１以下にならないように閾値Ｔｈ２を設定する必要がある。なぜなら、ノイズ源が通常動作に復帰することにより受信信号強度ＲｓがＴｈ１以下になってしまうと、直ちに、ステップＳ１２〜Ｓ１７の処理が実行されるため、動作が不安定になるからである。
【００３９】
ステップＳ１８において、Ｒｓ≧Ｔｈ２と判定された場合（ステップＳ１８；Ｙｅｓ）には、ステップＳ１９に進む。ステップＳ１９では、マイコン部２６は、ノイズ源を通常動作へ復帰させる。より詳細には、マイコン部２６は、表示部３１を動作させ、モータを高速駆動し、また、メカを動作させる。これにより、ノイズ源からのノイズによって放送受信部２２の受信感度が低下するが、受信信号強度が十分に高く保たれているので、放送信号の受信状態を維持することができる。
【００４０】
なお、このときの動作を図５に基づいて説明すると、時刻Ｔ２〜Ｔ３の間では、ステップＳ１２〜Ｓ１７の処理の結果、ノイズ源からのノイズが減少することから、放送受信部２２の受信感度が向上し、その結果として受信信号強度が上昇する。このため、マイコン部２６は、時刻Ｔ２〜Ｔ３の間では、一点鎖線を受信信号強度Ｒｓとして検出する。そして、時刻Ｔ３では、一点鎖線の曲線は、閾値Ｔｈ２以上となることから、ステップＳ１８においてＹｅｓと判定されてステップＳ１９に進み、ノイズ源が通常動作へ復帰される。その結果、ノイズ源からのノイズの発生が再開されるので、時刻Ｔ３においては、矢印で示すように、受信信号強度が低下し、実線のような受信信号強度になる。しかしながら、受信信号強度が低下しても、劣悪判断値であるＴｈ１以下にはならないように設定されていることから、放送受信部２２は正常に放送を受信し続けることができる。なお、時刻Ｔ３以降は、実線のように受信信号強度が推移する。
【００４１】
一方、ステップＳ１８においてＮｏと判定された場合には、ステップＳ２０に進み、マイコン部２６は、現状設定を維持する。具体的には、時刻Ｔ２においてステップＳ１２〜Ｓ１７の処理が実行されて受信信号強度が増加した場合、それ以降の処理ではステップＳ１１においてＮｏと判定されるとともに、ステップＳ１８においてＮｏと判定されてステップＳ２０に進み、現状設定が維持される。すなわち、ステップＳ１２〜Ｓ１７の制御状態が維持される。また、時刻Ｔ３において、ステップＳ１９のノイズ源を通常動作に復帰させる処理が実行されると、その後の処理では、ステップＳ１１においてＮｏと判定されるとともに、ステップＳ１８においてＮｏと判定されるので、ステップＳ２０に進み、現状設定が維持されるので、ノイズ源の通常動作状態が維持される。
【００４２】
以上に示す処理が繰り返されることにより、受信信号強度の変化に応じて、ノイズ源に対して制御情報２６ａに基づく制御がなされる。これにより、放送受信部２２による放送信号の受信状態を維持することができる。また、制御情報２６ａは、図２に示すメニュー画面によって設定することが可能であることから、ユーザの好みに応じて設定を行うことができる。このため、例えば、運転中は、表示部３１に表示された情報をほとんど参照しないユーザは、表示部３１を停止する設定を行うことにより、操作性を低下させることなく、受信信号強度を改善することができる。
【００４３】
以上に説明したように、本発明の実施の形態では、放送受信部２２の受信状態に応じて、複数のノイズ源を停止したり、低速駆動したりするようにしたので、放送受信部２２の受信状態を改善し、放送信号を継続して受信することが可能になる。
【００４４】
また、本発明の実施の形態では、複数のノイズ源のそれぞれに対する制御内容を、メニュー画面において設定することができるようにしたので、個々のユーザの好みに応じて、制御内容を設定することができる。このため、受信状態が悪化した場合でも、操作性を低下させることなく、放送を継続して楽しむことのできる。
【００４５】
また、本発明の実施の形態では、受信信号強度が閾値Ｔｈ１以下になった場合には制御情報２６ａに基づいてノイズ源に対する制御を実行するとともに、閾値Ｔｈ２以上になった場合にはノイズ源に対する制御を停止するようにした。このため、これらの閾値Ｔｈ１，Ｔｈ２を設定することにより、ノイズ源に対する制御が実行される範囲を可変することができる。例えば、閾値Ｔｈ１を小さい値に設定すれば、ノイズ源に対する制御が実行される範囲を狭くすることができ、逆に閾値Ｔｈ１を大きい値に設定すれば、ノイズ源に対する制御が実行される範囲を広くすることができる。一方、閾値Ｔｈ２を小さい値に設定すれば、ノイズ源に対する制御が実行される範囲を狭くすることができ、逆に閾値Ｔｈ２を大きい値に設定すれば、ノイズ源に対する制御が実行される範囲を広くすることができる。
【００４６】
（Ｃ）変形実施の態様
なお、上述した実施の形態は、あくまでも本発明の一態様を示すものであり、本発明の範囲内で任意に変形および応用が可能であることは勿論である。
例えば、以上の実施の形態では、図２に示すメニュー画面において、全ての制御対象に対する設定を行うようにしたが、例えば、動作が既に停止されている制御対象（ノイズ源）については、非表示としたり、設定ができないようにしたりしてもよい。例えば、メカの動作が既に停止されている場合には、設定項目５３を非表示の状態としたり、設定項目５３の設定ができないようにしたりしてもよい。そのような方法によれば、設定項目を減らすことにより、ユーザの操作性を向上させることができる。
【００４７】
また、以上の実施の形態では、閾値Ｔｈ１，Ｔｈ２については１種類だけとしたが、複数の閾値Ｔｈ１，Ｔｈ２のペアを設け、放送信号の種類によって選択できるようにしてもよい。例えば、テレビ放送およびラジオ放送のそれぞれに対して閾値Ｔｈ１，Ｔｈ２を個別に設け、受信される放送の種類（テレビ放送かラジオ放送か）によってこれらを選択できるようにしてもよい。なお、テレビ放送であっても、地上デジタル放送または地上アナログ放送によって閾値が異なることが想定されるので、それぞれについて閾値を設けるようにしてもよい。また、ラジオ放送であっても、ＦＭ（Frequency Modulation）放送またはＡＭ（Amplitude Modulation）放送によって閾値が異なることが想定されるので、それぞれについて閾値を設けるようにしてもよい。また、閾値Ｔｈ１，Ｔｈ２は、固定としたが、これらの一方または双方を調整可能としノイズ源が制御される範囲を調整できるようにしてもよい。
【００４８】
また、以上の実施の形態では、モータの駆動を停止するものと、駆動を低速にするものに分けるようにしたが、例えば、駆動の停止のみを実行するようにしてもよい。また、モータだけではなく、例えば、他のアクチュエータの動作を停止するようにしてもよい。具体的には、サーボ系のアクチュエータの動作を停止するようにしてもよい。
【００４９】
また、以上の実施の形態では、表示部３１の動作を停止するようにしたが、表示装置４０の動作を停止するようにしてもよい。すなわち、放送受信部２２の受信状態が悪化した場合には、マイコン部２６は、表示装置４０を制御して、そのバックライトを消灯するとともに、駆動回路を停止する。これにより、前述した表示部３１の場合と同様に、ノイズを減らすことができる。なお、放送受信部２２によってテレビ放送を受信している場合には、表示部３１または表示装置４０の動作を停止することはできないので、そのような場合には、図２において表示を停止する設定がなされている場合であっても、表示の停止動作を実行しないようにすることができる。
【００５０】
また、以上の実施の形態では、制御対象のノイズ源としては、表示部、モータ、および、メカを例に挙げて説明したが、これ以外を制御対象としてもよい。例えば、電源部や、デコーダ部を制御対象とするようにしてもよい。具体的には、スイッチング電源が複数存在する場合には、これらのうちで電源の供給を停止できるものについては停止することによりスイッチングノイズの発生を低減するようにしたり、例えば、ＭＰ３（MPEG Audio Layer-3）デコーダ部が存在する場合にはＭＰ３デコーダ部を停止することにより、ノイズの発生を低減するようにしたりしてもよい。また、上述した制御対象の全てに対して設定を行うのではなく、これらの一部の設定を行うようにしてもよい。
【図面の簡単な説明】
【００５１】
【図１】実施の形態の車載用放送受信装置の機能的構成を示すブロック図である。
【図２】図１に示す表示部に表示されるメニュー画面の一例である。
【図３】図１に示す制御情報の一例である。
【図４】図１に示す実施の形態において実行される処理の一例を示すフローチャートである。
【図５】受信信号強度の推移と２つの閾値の関係を示す図である。
【符号の説明】
【００５２】
１０  車載用放送受信装置
２２  放送受信部
２６  マイコン部（記憶手段、制御手段）
２６ａ  制御情報
２７  開閉機構用モータ（モータ）
３１  表示部（表示手段、表示部）
３２〜３５  キー（設定手段）
４０  表示装置
Ｔｈ１  閾値（第１閾値）
Ｔｈ２  閾値（第２閾値）
【図１】
2009111514.tif 000003
【図２】
2009111514.tif 000004
【図３】
2009111514.tif 000005
【図４】
2009111514.tif 000006
【図５】
2009111514.tif 000007